(57)【要約】【課題】  従来の方法では、セルフタイマー撮影モードでしかリモコン撮影を有効にしていなかった。そのため、リモコン撮影を行う設定にして、急にカメラ本体で撮影を行おうとすると指定秒数後にしかレリーズできない問題があった。【解決手段】  セルフ撮影モードとリモコン撮影モードの設定を独立して設定可能とし、前記２つのモード切替手段を提供することで解決できる。【選択図】        図６
2005318078.tif 000002
【特許請求の範囲】
【請求項１】
撮像装置は、
撮像装置本体に付帯して、撮影動作開始を指示する第一の撮影手段と、
撮像装置本体に付帯せず、撮影動作開始を支持する第二の撮影手段と、
前記第一の撮影手段で指定秒数後に撮影動作が開始することを指示するセルフタイマー設定手段と、
前記第二の撮影手段で指定秒数後に撮影動作が開始することを指示するリモコン設定手段と、
前記第一の撮影手段でセルフタイマー設定で撮影を行うセルフタイマー撮影手段と、
前記第二の撮影手段でリモコン設定で撮影を行うリモコン撮影手段と、
前記セルフタイマー撮影手段と前記リモコン撮影手段とを切り替える撮影モード切替手段とを有し、
前記撮影モード切替手段でリモコン撮影を選択したときに第一の撮影手段でただちに撮影することを特徴とする撮像装置。
【請求項２】
撮像装置は、
撮像装置本体に付帯して、撮影動作開始を指示する第一の撮影手段と、
撮像装置本体に付帯せず、撮影動作開始を支持する第二の撮影手段と、
前記第一の撮影手段で指定秒数後に撮影動作が開始することを指示するセルフタイマー設定手段と、
前記第二の撮影手段で指定秒数後に撮影動作が開始することを指示するリモコン設定手段と、
前記第一の撮影手段でセルフタイマー設定で撮影を行うセルフタイマー撮影手段と、
前記第二の撮影手段でリモコン設定で撮影を行うリモコン撮影手段と、
前記セルフタイマー撮影手段と前記リモコン撮影手段とを切り替える撮影モード切替手段とを有し、
前記撮影モード切替手段でセルタイマー撮影を選択したときに第二の撮影手段を受け付けないことを特徴とする撮像装置。
【請求項３】
撮像装置は、
撮像装置本体に付帯して、撮影動作開始を指示する第一の撮影手段と、
撮像装置本体に付帯せず、撮影動作開始を支持する第二の撮影手段と、
前記第一の撮影手段で指定秒数後に撮影動作が開始することを指示するセルフタイマー設定手段と、
前記第二の撮影手段で指定秒数後に撮影動作が開始することを指示するリモコン設定手段と、
前記第一の撮影手段でセルフタイマー設定で撮影を行うセルフタイマー撮影手段と、
前記第二の撮影手段でリモコン設定で撮影を行うリモコン撮影手段と、
前記セルフタイマー撮影手段と前記リモコン撮影手段とを切り替える撮影モード切替手段とを有し、
前記撮影モード切替手段でセルタイマー撮影とリモコン撮影をともに有効にしたときに第一の撮影手段では、セルフタイマー設定を有効にした撮影を行い、第二の撮影手段ではリモコン設定を有効にした撮影を行うことを特徴とする撮像装置。
【発明の詳細な説明】
【技術分野】
【０００１】
本発明は、静止画像や動画像を撮像、記憶、通信、記録、再生する撮像装置に関する。
【背景技術】
【０００２】
従来、固体メモリ素子を有するメモリカードを記録媒体として、静止画像や動画像を記録、再生、通信する電子カメラ等の撮像装置は既に市販されており、リモコン機能を有するデジタルカメラも市販されている。下記特許文献１に示す動作モードに応じた機能の使い分けについても提案されている（簡易リモコンを用いて、動作モードに応じて機能を使い分ける。）。
【特許文献１】特願２００２−１１３７６５号公報
【発明の開示】
【発明が解決しようとする課題】
【０００３】
従来の方法では、セルフタイマー撮影モードでしかリモコン撮影を有効にしていなかった。
【０００４】
そのため、リモコン撮影を行う設定にして、急にカメラ本体で撮影を行おうとすると指定秒数後にしかレリーズできない問題があった。
【０００５】
デジタルカメラにおいては、小型軽量化が進むなか機能に割り当てることができる操作部材が少なくなっている。少ない操作部材でユーザーが機能を選択するためには、複数の機能を１つの操作部材に割り当てる必要がある。そのため、ユーザーが機能を選択するために操作回数が多くなる問題もあった。
【０００６】
本発明は上述の問題点に着目してなされたものであって、限られた操作部材でシャッターチャンスを逃さずかつ遠隔撮影を操作可能な撮像装置を提供することが課題となっている。
【課題を解決するための手段】
【０００７】
上記目的を達成するために、本発明の撮像装置は以下（１）〜（３）の構成を備える。
（１）撮像装置は、
撮像装置本体に付帯して、撮影動作開始を指示する第一の撮影手段と、
撮像装置本体に付帯せず、撮影動作開始を支持する第二の撮影手段と、
前記第一の撮影手段で指定秒数後に撮影動作が開始することを指示するセルフタイマー設定手段と、
前記第二の撮影手段で指定秒数後に撮影動作が開始することを指示するリモコン設定手段と、
前記第一の撮影手段でセルフタイマー設定で撮影を行うセルフタイマー撮影手段と、
前記第二の撮影手段でリモコン設定で撮影を行うリモコン撮影手段と、
前記セルフタイマー撮影手段と前記リモコン撮影手段とを切り替える撮影モード切替手段とを有し、
前記撮影モード切替手段でリモコン撮影を選択したときに第一の撮影手段でただちに撮影することを特徴とする。
【０００８】
（２）撮像装置は、
撮像装置本体に付帯して、撮影動作開始を指示する第一の撮影手段と、
撮像装置本体に付帯せず、撮影動作開始を支持する第二の撮影手段と、
前記第一の撮影手段で指定秒数後に撮影動作が開始することを指示するセルフタイマー設定手段と、
前記第二の撮影手段で指定秒数後に撮影動作が開始することを指示するリモコン設定手段と、
前記第一の撮影手段でセルフタイマー設定で撮影を行うセルフタイマー撮影手段と、
前記第二の撮影手段でリモコン設定で撮影を行うリモコン撮影手段と、
前記セルフタイマー撮影手段と前記リモコン撮影手段とを切り替える撮影モード切替手段とを有し、
前記撮影モード切替手段でセルタイマー撮影を選択したときに第二の撮影手段を受け付けないことを特徴とする。
【０００９】
（３）撮像装置は、
撮像装置本体に付帯して、撮影動作開始を指示する第一の撮影手段と、
撮像装置本体に付帯せず、撮影動作開始を支持する第二の撮影手段と、
前記第一の撮影手段で指定秒数後に撮影動作が開始することを指示するセルフタイマー設定手段と、
前記第二の撮影手段で指定秒数後に撮影動作が開始することを指示するリモコン設定手段と、
前記第一の撮影手段でセルフタイマー設定で撮影を行うセルフタイマー撮影手段と、
前記第二の撮影手段でリモコン設定で撮影を行うリモコン撮影手段と、
前記セルフタイマー撮影手段と前記リモコン撮影手段とを切り替える撮影モード切替手段とを有し、
前記撮影モード切替手段でセルタイマー撮影とリモコン撮影をともに有効にしたときに第一の撮影手段では、セルフタイマー設定を有効にした撮影を行い、第二の撮影手段ではリモコン設定を有効にした撮影を行うことを特徴とする。
【発明の効果】
【００１０】
リモコン機能を有するデジタルカメラにおいて、シャッターチャンスを逃さず、かつ遠隔撮影を簡単に行うためにカメラ本体に付帯するシャッターボタンで指定秒数後に撮影する手段とカメラ本体に付帯しないリモコンシャッターボタンで指定秒数後に撮影する手段とを有し、リモコン撮影モード時には、カメラ本体のシャッターボタンでただちに撮影することが可能となる。
【発明を実施するための最良の形態】
【００１１】
以下に本発明を実施するための最良の形態を、実施例に基づいて説明する。
【実施例１】
【００１２】
＜撮像装置１００の構成説明＞
まず、図１を用いて、撮像装置１００について説明する。
【００１３】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１４】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１５】
２０は画像処理回路であり、Ａ／Ｄ変換器１６からのデータ或いはメモリ制御回路２２からのデータに対して所定の画素補間処理や色変換処理を行う。
【００１６】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００１７】
さらに、画像処理回路２０においては、撮像した画像データを用いて所定の演算処理を行い、得られた演算結果に基づいてＴＴＬ方式のＡＷＢ（オートホワイトバランス）処理も行っている。
【００１８】
２２はメモリ制御回路であり、Ａ／Ｄ変換器１６、タイミング発生回路１８、画像処理回路２０、画像表示メモリ２４、Ｄ／Ａ変換器２６、メモリ３０、画像圧縮・伸長回路３２を制御する。
【００１９】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２０】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００２１】
画像表示部２８を用いて撮像した画像データを逐次表示すれば、電子ファインダ機能を実現することが可能である。
【００２２】
また、画像表示部２８は、システム制御回路５０の指示により任意に表示をＯＮ／ＯＦＦすることが可能であり、表示をＯＦＦにした場合には撮像装置１００の電力消費を大幅に低減することが出来る。
【００２３】
３０は撮影した静止画像や動画像を格納するためのメモリであり、所定枚数の静止画像や所定時間の動画像を格納するのに十分な記憶量を備えている。
【００２４】
これにより、複数枚の静止画像を連続して撮影する連写撮影やパノラマ撮影の場合にも、高速かつ大量の画像書き込みをメモリ３０に対して行うことが可能となる。
【００２５】
また、メモリ３０はシステム制御回路５０の作業領域としても使用することが可能である。
【００２６】
３２は適応離散コサイン変換（ＡＤＣＴ）、ウェーブレット変換等により画像データを圧縮伸長する画像圧縮・伸長回路であり、メモリ３０に格納された画像を読み込んで圧縮処理或いは伸長処理を行い、処理を終えたデータをメモリ３０に書き込む。
【００２７】
３４は暗号／復号回路であり、撮影してメモリ３０の所定領域に記憶した画像データに対して必要に応じて暗号化処理を行うと共に、暗号化処理を行ってメモリ３０の所定領域に記憶した画像データを再生表示する際に復号化処理を行う。
【００２８】
なお、暗号化処理を行った画像データは、画像情報管理装置（画像ゲートウェイ）の備える暗号／復号手段においても復号することが出来る。
【００２９】
これらの暗号／復号処理動作は、後述する画像情報管理装置（画像ゲートウェイ）の備える課金管理手段での課金データベース情報と連携して実行される。
【００３０】
課金管理手段では、撮影処理の実行及び或いは画像情報管理装置（画像ゲートウェイ）への画像データの送信及び或いは画像情報管理装置（画像ゲートウェイ）からの画像データの受信に応じて、課金情報の更新管理を必要に応じて行うことが出来る。
【００３１】
４０は絞り機能を備えるシャッター１２を制御する露光制御手段であり、フラッシュ４８と連携することによりフラッシュ調光機能も有するものである。
【００３２】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００３３】
４８はフラッシュであり、ＡＦ補助光の投光機能、フラッシュ調光機能も有する。
【００３４】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００３５】
５０は撮像装置１００全体を制御するシステム制御回路、５２はシステム制御回路５０の動作用の定数、変数、プログラム等を記憶するメモリである。
【００３６】
５４はシステム制御回路５０でのプログラムの実行に応じて、文字、画像、音声等を用いて動作状態やメッセージ等を表示する液晶表示装置、スピーカー等の表示部であり、撮像装置１００の操作部近辺の視認し易い位置に単数或いは複数個所設置され、例えばＬＣＤやＬＥＤ、発音素子等の組み合わせにより構成されている。
【００３７】
また、表示部５４は、その一部の機能が光学ファインダ１０４内に設置されている。
【００３８】
表示部５４の表示内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００の着脱状態表示、通信Ｉ／Ｆ動作表示、日付け・時刻表示、外部コンピュータとの接続状態を示す表示、等がある。
【００３９】
また、表示部５４の表示内容のうち、光学ファインダ１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示、等がある。
【００４０】
さらに、表示部５４の表示内容のうち、ＬＥＤ等に表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示、等がある。
【００４１】
そして、表示部５４の表示内容のうち、ランプ等に表示するものとしては、例えば、セルフタイマー通知ランプ、等がある。このセルフタイマー通知ランプは、ＡＦ補助光と共用して用いても良い。
【００４２】
５６は電気的に消去・記録可能な不揮発性メモリであり、例えばＥＥＰＲＯＭ、フラッシュメモリ等が用いられる。
【００４３】
５８は識別情報で、通信手段１１０、アンテナ１１２、パケット網、ネットワークを介して画像情報管理装置（画像ゲートウェイ）と通信を行う際に認証を行うため及び或いは撮影画像データの格納／取り出しを行う際に課金管理を行うための各種識別情報が格納されている。
【００４４】
これらの識別情報は、画像情報管理装置（画像ゲートウェイ）において、撮像装置１００に対して各種サービスを行う際の課金情報データベースを更新する際に用いられる。
【００４５】
６０、６２、６４、７０及び７２は、システム制御回路５０の各種の動作指示を入力するための操作手段であり、スイッチやダイアル、タッチパネル、視線検知によるポインティング、音声認識装置等の単数或いは複数の組み合わせで構成される。
【００４６】
ここで、これらの操作手段の具体的な説明を行う。
【００４７】
６０は電源スイッチ（メインスイッチ）で、画像処理装置１００の電源オン、電源オフの各モードを切り替え設定することが出来る。また、画像処理装置１００に接続された各種付属装置の電源オン、電源オフの設定も合わせて切り替え設定することが出来る。
【００４８】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００４９】
６４はシャッタースイッチＳＷ２で、不図示のシャッターボタンの操作完了でＯＮとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、画像圧縮・伸長回路３２で圧縮を行い、記録媒体２００に画像データを書き込む記録処理という一連の処理の動作開始を指示する。
【００５０】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、画像表示ＯＮ／ＯＦＦボタン、圧縮モードスイッチ、撮影直後に撮影した画像データを画像表示部２８を用いて自動再生表示するクイックレビュー機能を設定するクイックレビュースイッチ、撮影及び或いは再生及び或いは通信を実行する際に各種機能の選択及び切り替えを設定する選択／切り替えスイッチ、撮影及び或いは再生及び或いは通信を実行する際に各種機能の決定及び実行を設定する決定／実行スイッチ等がある。
【００５１】
なお、圧縮モードスイッチにおいては、ＪＰＥＧ（Ｊｏｉｎｔ  Ｐｈｏｔｏｇｒａｐｈｉｃ  Ｅｘｐｅｒｔ  Ｇｐｏｕｐ）圧縮の圧縮率を選択するため、或いは撮像素子の信号をそのままディジタル化して記録媒体に記録するＣＣＤＲＡＷモードを選択するためのスイッチである。
【００５２】
ＪＰＥＧ圧縮のモードは、例えばノーマルモードとファインモードが用意されている。
【００５３】
撮像装置１００の利用者は、撮影した画像のデータサイズを重視する場合はノーマルモードを、撮影した画像の画質を重視する場合はファインモードを、それぞれ選択して撮影を行うことが出来る。
【００５４】
ＪＰＥＧ圧縮のモードに於いては、撮像素子１４から読み出されてＡ／Ｄ変換器１６、画像処理回路２０、メモリ制御回路２２を介して、メモリ３０に書き込まれた画像データを読み出し、画像圧縮・伸長回路３２により設定した圧縮率に圧縮し、必要に応じて暗号／復号回路３４により所定の暗号化処理を行った後、記録媒体２００に記録を行う。
【００５５】
ＣＣＤＲＡＷモードでは、撮像素子１４の色フィルタの画素配列に応じて、ライン毎にそのまま画像データを読み出して、Ａ／Ｄ変換器１６、メモリ制御回路２２を介して、メモリ３０に書き込まれた画像データを読み出し、必要に応じて暗号／復号回路３４により所定の暗号化処理を行った後、記録媒体２００に記録を行う。
【００５６】
７２はモードダイアルスイッチで、自動撮影モード、撮影モード、パノラマ撮影モード、再生モード、マルチ画面再生・消去モード、ＰＣ接続モード等の各機能モードを切り替え設定することが出来る。
【００５７】
なお、本実施例の説明においては、特に、撮影モード、再生モード、プリントサービスモードを撮像装置１００が備える構成としている。
【００５８】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００５９】
８２はコネクタ、８４はコネクタ、８６はアルカリ電池やリチウム電池等の一次電池やＮｉＣｄ電池やＮｉＭＨ電池、Ｌｉ−ｉｏｎ電池等の二次電池、ＡＣアダプター等からなる電源手段である。
【００６０】
９０はメモリカードやハードディスク等の記録媒体とのインタフェース、９２はメモリカードやハードディスク等の記録媒体と接続を行うコネクタである。
【００６１】
１０２は、撮像装置１００のレンズ１０を含む撮像部を覆う事により、撮像部の汚れや破損を防止するバリアである保護手段である。
【００６２】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。
【００６３】
１１０は通信手段で、ＴＤＭＡ（Ｔｉｍｅ  Ｄｉｖｉｓｉｏｎ  Ｍｕｌｔｉｐｌｅ  Ａｃｃｅｓｓ）方式やＣＤＭＡ（Ｃｏｄｅ  Ｄｉｖｉｓｉｏｎ  Ｍｕｌｔｉｐｌｅ  Ａｃｃｅｓｓ）方式、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式、ＰＨＳ（Ｐｅｒｓｏｎａｌ  Ｈａｎｄｙｐｈｏｎｅ  Ｓｙｓｔｅｍ）方式等の携帯電話通信機能を有する。
【００６４】
１１２はアンテナ（或いはコネクタ）で、通信手段１１０により撮像装置１００を、パケット網、ネットワークを介して画像情報管理装置（画像ゲートウェイ）と接続する、更には、ネットワーク、インターネットを介して他の機器と接続する際のアンテナ或いは有線通信の場合はコネクタである。
【００６５】
１１４は通信手段で、Ｂｌｕｅｔｏｏｔｈなどの無線通信機能を有する。また、通信手段１１４は、ＲＳ２３２ＣやＵＳＢ（Ｕｎｉｖｅｒｓａｌ  Ｓｅｒｉａｌ  Ｂｕｓ）、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）  １３９４、Ｐ１２８４、ＳＣＳＩ（Ｓｍａｌｌ  Ｃｏｍｐｕｔｅｒ  Ｓｙｓｔｅｍ  Ｉｎｔｅｒｆａｃｅ）、モデム、ＬＡＮ（Ｌｏｃａｌ  Ａｒｅａ  Ｎｅｔｗｏｒｋ）等の有線通信、ＩｒＤＡ（Ｉｎｆｒａｒｅｄ  Ｄａｔａ  Ａｓｓｏｃｉａｔｉｏｎ）などの赤外線通信、光通信等の各種通信機能を有する構成としても良い。
【００６６】
１１６はアンテナ（或いはコネクタ）で、通信手段１１４により撮像装置１００を印刷装置（プリントサービス）等の他の機器と接続する際のアンテナ或いは有線通信の場合はコネクタである。
【００６７】
２００はメモリカードやハードディスク等の記録媒体である。記録媒体２００は、半導体メモリや磁気ディスク等から構成される記録部２０２、撮像装置１００とのインタフェース２０４、撮像装置１００と接続を行うコネクタ２０６を備えている。
【００６８】
なお、記録媒体２００は本実施例では撮像装置１００に内蔵される構成として説明している。
【００６９】
＜表示５４、操作部７０の構成説明＞
次に表示部５４と操作部７０の構成を説明する。
【００７０】
５４ａは外部から視認しやすい位置に取り付けられた表示器である。また、５４ａは、回転、開閉する表示である。５４ｂは光学ファインダのように覗き込んで確認するための表示器である。
【００７１】
７０ａは表示先の切り替え、表示先に表示する表示内容の切り替えに使用する操作部材である。
【００７２】
＜撮像装置１００の動作説明＞
図４乃至図６を参照して、本発明の第１の実施例の動作を説明する。
【００７３】
図４は本実施例の撮像装置１００の主ルーチンのフローチャートを示す。
【００７４】
図４を用いて、撮像装置１００の動作を説明する。
【００７５】
電池交換等の電源投入により、システム制御回路５０はフラグや制御変数等を初期化すると共に、撮像装置１００各部の初期化処理を行う（ステップＳ１００１）。
【００７６】
システム制御回路５０は、電源スイッチ６０の設定位置を判断し、電源スイッチ６０が電源ＯＦＦに設定されていたならば（ステップＳ１００２）、各表示部の表示を終了状態に変更し、フラグや制御変数等を含む必要なパラメータや設定値、設定モードを不揮発性メモリ５６に記録し、電源制御手段８０により画像表示部２８を含む撮像装置１００各部の不要な電源を遮断する等の所定の終了処理を行った後（ステップＳ１００３）、ステップＳ１００２に戻る。
【００７７】
電源スイッチ６０が電源ＯＮに設定されていたならば（ステップＳ１００２）、ステップＳ１００４に進む。
【００７８】
システム制御回路５０は、電源制御手段８０により電池等により構成される電源８６の残容量や動作情況が撮像装置１００の動作に問題があるか否かを判断し（ステップＳ１００４）、問題があるならば表示部５４及び或いは画像表示部２８を用いて画像や音声により所定の警告表示を行った後に（ステップＳ１００５）、ステップＳ１００２に戻る。
【００７９】
電源８６に問題が無いならば（ステップＳ１００４）、ステップＳ１００６に進む。
【００８０】
システム制御回路５０は、表示部５４を用いて画像や音声により撮像装置１００の各種設定状態の表示を行う。なお、画像表示部２８の画像表示がＯＮであったならば、画像表示部２８も用いて画像や音声により撮像装置１００の各種設定状態の表示を行う（ステップＳ１００６）。
【００８１】
システム制御回路５０は、モードダイアル７２の設定位置を判断し、モードダイアル７２が撮影モードに設定されていなかったならば（ステップＳ１００７）、ステップＳ１００９に進む。
【００８２】
モードダイアル７２が撮影モードに設定されていたならば（ステップＳ１００７）、システム制御回路５０は、撮影モード処理を実行し（ステップＳ１００８）、処理を終えたならばステップＳ１００２に戻る。
【００８３】
システム制御回路５０は、モードダイアル７２の設定位置を判断し、モードダイアル７２が再生モードに設定されていなかったならば（ステップＳ１００９）、ステップＳ１００２に進む。
【００８４】
モードダイアル７２が再生モードに設定されていたならば（ステップＳ１００９）、撮影した画像データの概略画像データを表示する再生モード処理を実行し（ステップＳ１０１０）、処理を終えたならばステップＳ１００２に戻る。
【００８５】
この再生モード処理（ステップＳ１０１０）の詳細は後述する。
【００８６】
上記のように、撮像装置１００の利用者は、撮像装置１００を携帯して撮影、再生、通信を随時行うことが可能であり、撮影した画像データを情報処理装置に格納し、格納した画像データを画像情報管理装置（画像ゲートウェイ）を転送し格納し、印刷装置（プリントサービス）に転送して写真プリントを行うことが可能である。
【００８７】
図５は、図４のステップＳ１００８における撮影モード処理の詳細なフローチャートを示す。
【００８８】
システム制御回路５０は、操作部７０が備える各種スイッチの操作により、ユーザーによって撮影に関する各種設定の変更が行われたならば（ステップＳ１１０１）、変更された内容に応じて、撮影に関する動作設定を変更する（ステップＳ１１０２）。
【００８９】
システム制御回路５０は、シャッタースイッチＳＷ１  ６２が押されていないならば（ステップＳ１１０３）、撮影モード処理ルーチン（ステップＳ１００８）を終了する。
【００９０】
シャッタースイッチＳＷ１  ６２が押されたならば（ステップＳ１１０３）、システム制御回路５０は、測距処理を行って撮影レンズ１０の焦点を被写体に合わせ、測光処理を行って絞り値及びシャッター時間を決定する（ステップＳ１１０４）。測光処理に於いて、必要であればフラッシュの設定も行う。
【００９１】
シャッタースイッチＳＷ２  ６４が押されずに（ステップＳ１１０５）、さらにシャッタースイッチＳＷ１  ６２も解除されたならば（ステップＳ１１０６）、撮影モード処理ルーチン（ステップＳ１００８）を終了する。
【００９２】
シャッタースイッチＳＷ２  ６４が押されたならば（ステップＳ１１０５）、システム制御回路５０は、撮像素子１４、Ａ／Ｄ変換器１６、画像処理回路２０、メモリ制御回路２２を介して、或いはＡ／Ｄ変換器１６から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行する（ステップＳ１１０７）。
【００９３】
撮影処理Ｓ１１０７を終えたならば、システム制御回路５０は、メモリ３０に書き込まれた撮影画像データを読み出して、メモリ制御回路２２そして必要に応じて画像処理回路２０を用いて所定の画素補間処理や色変換処理等の現像処理を行い、現像処理を行った画像データをメモリ３０の所定領域に格納して（ステップＳ１１０８）、ステップＳ１１０９に進む。
【００９４】
システム制御回路５０は、メモリ３０の所定領域に格納された画像データを読み出し、画像圧縮・伸長回路３２を用いて、設定したモードに応じた画像圧縮処理を行う圧縮処理を行った後、圧縮処理を行った画像データをメモリ３０の所定領域に格納して（ステップＳ１１０９）、ステップＳ１１１０に進む。
【００９５】
システム制御回路５０は、メモリ３０の所定領域に格納された圧縮処理を行った画像データを読み出し、暗号／復号回路３４を用いて所定の暗号化処理を行い（ステップＳ１１１０）、処理を行った画像データをメモリ３０の所定領域に格納して、ステップＳ１１１１に進む。
【００９６】
図６は、図５のステップＳ１１０２における撮影に関する設定を変更する処理の詳細なフローチャートを示す。
【００９７】
図２は、セルフタイマー撮影モードとリモコン撮影モードを切り替えを選択するメニュー画面である。
【００９８】
撮影に関する設定を変更するメニューを操作ボタンを押下することで図２で示すメニューを表示する（Ｓ１２０１）。メニューでドライブを選択すると単写モード、連写モード、セルフタイマー撮影モード、リモコン撮影モード、等の撮影モードを選択できる（Ｓ１２０１）。ドライブでセルフタイマー撮影モードを選択すると、セルフタイマー撮影モード設定（Ｓ１２０５）となり、カメラ本体から撮影動作しか受け付けない。ドライブでリモコン撮影モードを選択すると図３に示すリモコン撮影秒数設定の設定に応じた、リモート撮影が可能となり、その場合は、本体による撮影はただちに行われる。
【図面の簡単な説明】
【００９９】
【図１】本発明の一実施例の全体ブロック図である。
【図２】本実施例の撮影モード切替メニュー画面を示す図である。
【図３】本実施例のリモコン撮影秒数指定メニュー画面を示す図である。
【図４】本実施例における撮像装置の主ルーチンのフローチャートである。
【図５】本実施例における撮像装置の撮影モード処理ルーチンのフローチャートである。
【図６】本実施例における撮像装置の撮影モード設定のフローチャートである。
【符号の説明】
【０１００】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
３４  暗号／復号回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
５８  識別情報
６０  電源スイッチ（メインスイッチ）
６２  シャッタースイッチＳＷ１
６４  シャッタースイッチＳＷ２
７０  操作部
７２  モードダイアルスイッチ
８０  電源制御手段
８２  コネクタ
８４  コネクタ
８６  電源手段
９０  インタフェース
９２  コネクタ
１００  撮像装置
１０２  保護手段
１０４  光学ファインダ
１１０  通信手段
１１２  アンテナ
１１４  通信手段
１１６  アンテナ
２００  記録媒体
２０２  記録部
２０４  インタフェース
２０６  コネクタ
【図１】
2005318078.tif 000003
【図４】
2005318078.tif 000004
【図５】
2005318078.tif 000005
【図６】
2005318078.tif 000006
【図２】
2005318078.tif 000007
【図３】
2005318078.tif 000008